【手続補正書】
【提出日】平成22年3月12日(2010.3.12)
【手続補正１】
【補正対象書類名】明細書
【補正対象項目名】０００３
【補正方法】変更
【補正の内容】
【０００３】
このような液晶装置に搭載される光センサは、例えばフォトダイオード及び容量が相互に電気的に接続された回路構造を含んで構成されている。容量に蓄積された電荷は、入射光を受光したフォトダイオードに発生した光電流に応じて放電され、当該放電によって変化した電位に基づいて画像の階調レベルが特定される。より具体的には、例えば、画像が表示される表示領域のうち指示手段に重なる領域に配置された光センサ、言い換えれば指示手段の影に重なる領域に配置された光センサは、指示手段の影に対応した入射光の光量を検出し、指示手段に重ならない領域に配置された光センサは、指示手段によって遮られない外光を入射光としてその光量を検出し、光量の差に応じた各画像部分の階調レベルに差が設けられた画像が取得される。したがって、この種の液晶装置では、画像を表示する表示面から入射する入射光の光量を検出し、各光センサによって検出された入射光の光量の夫々に応じて階調レベルが特定された画像部分からなる画像に基づいて指示手段の位置が特定可能になる。
【手続補正２】
【補正対象書類名】明細書
【補正対象項目名】００６９
【補正方法】変更
【補正の内容】
【００６９】
受光素子１５１は、画像表示領域１０ａにおいて液晶装置１の表示面３０２ｓから入射する入射光Ｌ２のうち光量調節部８２によって光量が調節された入射光Ｌ２´（図７乃至図９参照。）を受光する。リセット用ＴＦＴ１６３のソース、ゲート及びドレインの夫々は、受光素子１５１、リセット用信号線３５０、及び信号増幅用ＴＦＴ１５４の夫々に電気的に接続されている。信号増幅用ＴＦＴ１５４のソース、ゲート及びドレインの夫々は、電源線３５１、受光素子１５１、及び出力制御用ＴＦＴ１５５の夫々に電気的に接続されている。出力制御用ＴＦＴ１５５のソース、ゲート及びドレインの夫々は、信号増幅用ＴＦＴ１５４、選択信号線３５３、及び読み出し信号線６ａ２の夫々に電気的に接続されている。
【手続補正３】
【補正対象書類名】明細書
【補正対象項目名】００８３
【補正方法】変更
【補正の内容】
【００８３】
このように、液晶装置１によれば、光センサ部１５０に入射する入射光Ｌ２の光量が光センサ部による検出可能範囲から外れている場合でも、当該検出可能範囲に光量が含まれるように入射光Ｌ２の光量が調節され、検出可能範囲に光量が調節された入射光Ｌ２´が光センサ部１５０に照射されることになる。したがって、光量調節部８２によって光量が調節されることなく、入射光Ｌ２が光センサ部１５０にそのまま入射する場合には識別できなかった指示手段を識別でき、表示面３０２ｓ上の画像表示領域１０ａにおける指示手段の位置を特定できる。
【手続補正４】
【補正対象書類名】明細書
【補正対象項目名】００８８
【補正方法】変更
【補正の内容】
【００８８】
第１偏光層３０１及び第２偏光層３０２の夫々は、画素電極９ａに重なるように延びている。第１偏光層３０１及び第２偏光層３０２のうち各画素電極９ａに重なる部分が画像表示領域１０ａにおいて変調される表示用光Ｌ１のうち直線偏光成分を選択的に透過させる偏光板として機能する。したがって、第１偏光層３０１及び第２偏光層３０２を形成する工程と共通の工程によって、画像を表示するための表示用光Ｌ１の透過量を規定する偏光板を形成でき、第１偏光層３０１及び第２偏光層３０２を形成する工程とは別の工程によって偏光板を形成する場合より製造プロセスを簡便にできる。
【手続補正５】
【補正対象書類名】明細書
【補正対象項目名】００８９
【補正方法】変更
【補正の内容】
【００８９】
液晶装置１は、第１偏光層３０１の光軸に沿って延びる光軸を有しており、光センサ部１５０から見てＴＦＴアレイ基板１０側において画素電極９ａに重なるように延びる第３偏光層３０３を備えている。第３偏光層３０３によれば、第１偏光層３０１のうち画素電極９ａに重なる部分と共に、各画素に入射する表示用光Ｌ１を確実に直線偏光させることが可能である。
【手続補正６】
【補正対象書類名】明細書
【補正対象項目名】００９１
【補正方法】変更
【補正の内容】
【００９１】
図７乃至図９において、サブ画素部７３Ｒは、表示用光Ｌ１が液晶層５０によって変調された変調光のうち赤色光を透過可能なカラーフィルタ１５４Ｒを介して赤色光Ｌ１Ｒを表示する。サブ画素部７３Ｇ及び７３Ｂの夫々は、サブ画素部７３Ｒと同様に、カラーフィルタ１５４Ｇ及び１５４Ｂの夫々を介して緑色光Ｌ１Ｇ及び青色光Ｌ１Ｂの夫々を表示する。
【手続補正７】
【補正対象書類名】明細書
【補正対象項目名】００９３
【補正方法】変更
【補正の内容】
【００９３】
受光素子１５１は、例えば、ＴＦＴ回路部８０が有するＴＦＴ等の半導体素子を形成する工程と共通の工程によって形成された結晶性シリコン、或いはＧａＡｓ等の半導体を用いたＰＩＮダイオード、又はＰｂＳを用いた光電素子等の受光素子である。受光素子１５１は、光量調節部８２によって入射光Ｌ２の光量が調節された入射光Ｌ２´を検出する。
【手続補正８】
【補正対象書類名】明細書
【補正対象項目名】００９５
【補正方法】変更
【補正の内容】
【００９５】
図６乃至図９に示すように、光センサ部１５０は、ＴＦＴアレイ基板１０上において、画素部７２の開口領域を互いに隔てる非開口領域に形成されている。また、液晶装置１では、開口部７３Ｒ、７３Ｇ及び７３Ｂから表示用光Ｌ１Ｒ、Ｌ１Ｇ及びＬ１Ｂの夫々が出射される。したがって、液晶装置１によれば、光センサ部１５０によって表示用光Ｌ１Ｒ、Ｌ１Ｇ及びＬ１Ｂが遮られることがない。
【手続補正９】
【補正対象書類名】明細書
【補正対象項目名】００９９
【補正方法】変更
【補正の内容】
【００９９】
図１０において、調節制御用ＴＦＴ１３０は、半導体層１ａ、コンタクトホール１８１及び１８２、ソース電極９１、ドレイン電極９２、並びにゲート電極３ａ１を有している。
【手続補正１０】
【補正対象書類名】明細書
【補正対象項目名】０１００
【補正方法】変更
【補正の内容】
【０１００】
半導体層１ａは、例えば低温ポリシリコン層であり、ゲート電極３ａ１に重なるチャネル領域１ａ´、ソース領域１ｂ´、及びドレイン領域１ｃ´を含んでいる。チャネル領域１ａ´には、調整制御用ＴＦＴ１３０の動作時に、走査線３ａに電気的に接続されたゲート電極３ａ１からの電界によりチャネルが形成される。絶縁膜４２の一部を構成する絶縁膜４２ａのうちゲート電極３ａ１及び半導体層１ａ間に延びる部分は、調節制御用ＴＦＴ１３０のゲート絶縁膜を構成している。ソース領域１ｂ´及びドレイン領域１ｃ´の夫々は、チャネル領域１ａ´の両側の夫々にミラー対称に形成されている。
【手続補正１１】
【補正対象書類名】明細書
【補正対象項目名】０１０５
【補正方法】変更
【補正の内容】
【０１０５】
外光と、表示用光Ｌ１Ｒ、Ｌ１Ｇ及びＬ１Ｂが指示手段によって反射された反射光Ｌ２が半導体層１５０ａに照射された際には、照射された光の光強度に応じて受光素子１５１に電流が流れる。図３に示した受光信号処理回路部２１５によって処理される受光信号は、受光素子１５１に流れる光電流に応じた発生する電圧変化に対応した信号である。受光信号処理回路部２１５、及び画像処理回路部２１６によって受光信号が順次処理されることによって、表示面３０２ｓを指示する指示手段の位置等が特定でき、指示手段を介して液晶装置１に対する各種情報を入力が可能になる。
【手続補正１２】
【補正対象書類名】明細書
【補正対象項目名】０１１９
【補正方法】変更
【補正の内容】
【０１１９】
そこで、液晶装置１によれば、図１に示した制御回路部２０１は、複数の光センサ部８２の夫々が入射光Ｌ２を検出することによって取得された画像Ｇａに含まれる指示手段Ｆの画像部分Ｇｆを特定できない場合に、複数の光量調節部８２のうち画像Ｇａに含まれる白画像部分Ｇｗに対応する一の光量調節部８２が入射光Ｌ２の光量を絞る絞り量を増やし、複数の光量調節部８２のうち画像Ｇａに含まれる黒画像部分Ｇｂに対応する他の光量調節部８２が入射光Ｌ２の光量を絞る絞り量を減らすように、複数の光量調節部１５０の夫々を互いに独立して制御する。
【手続補正１３】
【補正対象書類名】明細書
【補正対象項目名】０１２０
【補正方法】変更
【補正の内容】
【０１２０】
より具体的には、図１４（ａ）に示すように、ＴＦＴアレイ基板１０上の画像表示領域１０ａにおいて黒画像部分Ｇｂに対応する領域に配置された光量調節部８２の絞り量を減らすことによって、当該領域に配置された光センサ部１５０に入射する入射光Ｌ２の光量を増やし、黒画像部分Ｇｂより階調レベルが高められた画像部分Ｇｂ１を生成する。これと並行して、液晶装置１は、白画像部分Ｇｗに対応する領域に配置された光量調節部８２の絞り量を増やすことによって、当該領域に配置された光センサ部１５０に入射する入射光Ｌ２の光量を減らし、白画像部分Ｇｗより階調レベルが低い画像部分Ｇｗ１を生成する。これにより、光センサ部１５０の検出可能範囲を規定する光量Ｐ１の以下の光量を有する入射光Ｌ２が光センサ部１５０に入射し、指示手段Ｆの影に相当する画像部分Ｇｆの階調レベルを細かく特定でき（例えば、図１４（ａ）に示す画像部分Ｇｆ１、Ｇｆ２、及びＧｆ３）、最も階調レベルが低い画像部分Ｇ３の位置によって表示面３０２ｓにおける指示手段Ｆの位置が特定可能になる。
【手続補正１４】
【補正対象書類名】明細書
【補正対象項目名】０１２１
【補正方法】変更
【補正の内容】
【０１２１】
同様に、図１４（ｂ）に示すように、画像表示領域１０ａにおいて白画像部分Ｇｗに対応する領域に配置された光量調節部８２が入射光Ｌ２の光量を絞る絞り量を増やすことによって、指示手段Ｆの画像部分Ｇｆを画像部分Ｇｆ１、Ｇｆ２及びＧｆ３の夫々の画像部分によって示すことができ、画像部分Ｇｆ３の位置によって指示手段Ｆの位置を特定できる。